(57)【要約】【課題】構造が簡単で、且つ筆記時に筆記先端部が軸心に対し傾斜し難いスライド式の多芯筆記具を提供する。【解決手段】軸筒内に複数の筆記体を配設し、各筆記体の後部に摺動体を着脱自在に連接し、前記摺動体を弾発部材により軸筒後端方向に付勢して配設するとともに、一方の摺動体を軸筒の先端開口部方向にスライドすることにより、一方の摺動体に連接した筆記体の筆記先端部を軸筒の先端開口部から突出した状態を維持し、他の摺動体を軸筒先端方向にスライドせしめることで、一方の筆記体の筆記先端部を軸筒先端開口部より没入可能な、筆記先端部を選択して出没可能なスライド式の多芯筆記具であって、前記軸筒の先端部に、前記軸筒の先端開口部から後方に向かってスリットを、周方向の異なる位置に、複数本形成したことを特徴とする。【選択図】          図３
2011104800.tif 000002
【特許請求の範囲】
【請求項１】
軸筒内に複数の筆記体を配設し、各筆記体の後部に摺動体を着脱自在に連接し、前記摺動体を弾発部材により軸筒後端方向に付勢して配設するとともに、一方の摺動体を軸筒の先端開口部方向にスライドすることにより、一方の摺動体に連接した筆記体の筆記先端部を軸筒の先端開口部から突出した状態を維持し、他の摺動体を軸筒先端方向にスライドせしめることで、一方の筆記体の筆記先端部を軸筒先端開口部より没入可能な、筆記先端部を選択して出没可能なスライド式の多芯筆記具であって、前記軸筒の先端部に、前記軸筒の先端開口部から後方に向かってスリットを、周方向の異なる位置に、複数本形成したことを特徴とするスライド式の多芯筆記具。
【請求項２】
前記スリットが、前記軸筒の先端面から前記軸筒の把持部まで延びることを特徴とする請求項１に記載のスライド式の多芯筆記具。
【請求項３】
前記スリットが、前記軸筒の先端側の細幅部と、後端側の太幅部とを有することを特徴とする請求項２に記載のスライド式の多芯筆記具。
【発明の詳細な説明】
【技術分野】
【０００１】
本発明は、軸筒内に複数の筆記体を配設したスライド式の多芯筆記具に関する。
【背景技術】
【０００２】
従来から、スライド式の多芯筆記具として、例えば、一方の摺動体を軸筒の先端開口部方向にスライドすることにより、摺動体の後端部に形成した係止部を軸筒に形成した止め部に係止して、筆記体の筆記先端部を先端開口部から突出した状態を維持し、他方の摺動体を軸筒の先端開口部方向にスライドせしめることで、他方の摺動体の解除突起が一方の摺動体に当接するとともに、止め部に係止していた一方の摺動体の係止部を係脱させ、一方の筆記先端部を先端開口部より没入させ、さらに他方の摺動体を前進することにより他方の係止部が止め部に係止して筆記体の筆記先端部の突出状態を維持する、筆記先端部を選択して出没可能な出没機構を有する、ボールペンレフィル等、複数の筆記体を軸筒内に収容した構造のスライド式の多芯筆記具は良く知られている。
【０００３】
こうしたスライド式の多芯筆記具は、各筆記体を軸筒の軸心から偏心した位置に配設している。そのため、出没機構を作動すると、筆記先端部が軸筒の内壁に当接しながら出没し、筆記先端部が突出した状態では、インキ収容筒が撓むように屈曲しているとともに、筆記先端部は、軸筒の軸心に対し、傾斜した状態で突出していた。
【０００４】
こうした問題を鑑みて、特開平９−６６６９５号「複式筆記具」では、軸筒の先端開口部を軸筒の軸心から偏心位置に形成し、インキ収容筒及び筆記先端部が屈曲及び傾斜しないようにした筆記具が開示されている。
【０００５】
また、特開平９−１５６２９３号「複式筆記具」では、インキ収容筒に屈曲を容易にする屈曲部を形成することで、筆記先端部の突出時に、インキ収容筒が屈曲しやすいように形成した筆記具が開示されている。
【特許文献１】特開平９−６６６９５号公報
【特許文献２】特開平９−１５６２９３号公報
【発明の開示】
【発明が解決しようとする課題】
【０００６】
しかし、特許文献１は、軸筒が従来の軸筒構造と異なるため、先端開口部に合わせて複数の筆記体を移動する等、スライド式には不向きであり、特許文献２では、インキ収容筒が従来の構造と異なるため、インキ消費等、急激な屈曲によるインキ特性の変化等、新たな課題が発生する。
【０００７】
本発明の目的は、上述した従来の問題点等に鑑み、構造が簡単で、且つ筆記時に筆記先端部が軸心に対し傾斜し難いスライド式の多芯筆記具を提供することである。
【課題を解決するための手段】
【０００８】
本発明は、軸筒内に複数の筆記体を配設し、各筆記体の後部に摺動体を着脱自在に連接し、前記摺動体を弾発部材により軸筒後端方向に付勢して配設するとともに、一方の摺動体を軸筒の先端開口部方向にスライドすることにより、一方の摺動体に連接した筆記体の筆記先端部を軸筒の先端開口部から突出した状態を維持し、他の摺動体を軸筒先端方向にスライドせしめることで、一方の筆記体の筆記先端部を軸筒先端開口部より没入可能な、筆記先端部を選択して出没可能なスライド式の多芯筆記具であって、前記軸筒の先端部に、前記軸筒の先端開口部から後方に向かってスリットを、周方向の異なる位置に、複数本形成したことを特徴とする。
【０００９】
また、前記スリットが、前記軸筒の先端面から前記軸筒の把持部まで延びることを特徴とする。
【００１０】
さらに、前記スリットが、前記軸筒の先端側の細幅部と、後端側の太幅部とを有することを特徴とする。
【００１１】
本願発明の構成によれば、軸筒の先端部に、前記軸筒の先端開口部から後方に向かってスリットを、周方向の異なる位置に、複数本形成してあるので、筆記体の突出時に、軸筒先端部が、筆記先端部によって軸心から離間する方向に拡がるため、インキ収容筒が屈曲し難く、筆記先端部も軸心に対し傾斜し難くすることが可能になる。また、筆記時には、前記スリットによって、筆記体が撓むように筆記できるため書き味を向上する効果も奏し、軸筒の先端部自体にも弾力を付与することができるので、一層、書き味を向上する効果を奏する。
【００１２】
また、前記スリットが、前記軸筒の先端面から前記軸筒本体の把持部まで延びることによって、軸筒の把持部を把持した時に、軸筒が軸心側に撓むために、良好な把持感触を得ることができる。さらに、把持力によって、軸筒先端開口部側の軸筒も内側に撓むため、筆記先端部の外壁と軸筒の内壁との間に隙間が発生しないので、筆記時に不快な衝突音や衝撃が発生することがなく好ましい。
【００１３】
また、スリットに、前記軸筒の先端側の細幅部と、後端側の太幅部とを有することにより、把持力によって内側に撓みやすく、筆記時に過剰な撓みの発生を抑制することができる。
【発明の効果】
【００１４】
本発明は、構造が簡単で、且つ筆記時に筆記先端部が軸心に対し傾斜し難いスライド式の多芯筆記具を提供することができた。
【図面の簡単な説明】
【００１５】
【図１】実施例１におけるスライド式の多芯筆記具を示す縦断面図である。
【図２】図１における一方の筆記体の筆記先端部が突出した状態を示す図である。
【図３】図１における、一部省略した外観図である。
【図４】図３における、矢印Ａ方向から見た一部省略した軸筒正面の外観図である。
【発明を実施するための形態】
【００１６】
以下、図面を参照して本発明の実施例を説明する。尚、図面中同じ部材、同じ部品については同じ番号を付してある。
【００１７】
実施例１
図１から図４に示す、スライド式の複合筆記具１は、前軸２と後軸３を、連結具４を介して螺着して軸筒本体を構成し、後軸３内に配設した。４個の摺動体５の隆起部及び摺動体６に連接及び連動するクリップ７を外部に露出して配設してある。各摺動体５には、インキ色の異なるボールペン体８を３本、摺動体６にはシャープペンシル体９をコイルスプリング１０により後方に付勢させて摺動可能に連接してある、従来から知られている出没機構のスライド式の複合筆記具であり、後軸３の内部には、区画部材１１、後軸３の後端部には、消しゴム１２及び消しゴムキャップ１３を配設してある。
【００１８】
シャープペンシル体９の先端部９ａを前軸２の先端開口部２ａから出没させるには、クリップ７を前軸の先端開口部２ａ方向へスライドすることにより、摺動体６の係止部６ａが後軸３内に形成した止め部３ａに係止して、シャープペンシル体９の筆記先端部９ａを軸筒の先端開口部２ａから選択して突出を維持することができる。
【００１９】
シャープペンシル体９の先端部９ａが前軸の先端開口部２ａから突出を維持した状態で、さらにクリップ７を前軸の先端開口部２ａ方向にスライドすることにより、シャープペンシル体９の鉛芯繰出装置（図示せず）が作動して鉛芯を繰り出すことができる。
【００２０】
また、シャープペンシル体９の筆記先端部９ａを前軸の先端開口部２ａから突出した状態で、摺動体５を前軸の先端開口部２ａ方向にスライドすることで、摺動体６の係止を解除し、シャープペンシル体９の筆記先端部９ａを口金４内に没入させることができる。さらに摺動体５を前軸の先端開口部２ａ方向へスライドすることにより、ボールペン体８のチップ先端部８ａの突出状態を維持することができる。
【００２１】
筆記体の出没について詳述すると、先ず、選択した一方の摺動体６に連接したクリップ７を前軸２の先端開口部２ａ方向に前進せしめると、シャープペンシル体９の筆記先端部９ａが、前軸２の内壁に沿って、先端開口部２ａ方向に移動する。この時、前軸２の先端部に形成したスリット２ｂによって、筆記先端部９ａが当接する前軸２の先端部は、軸筒の軸心Ｊから離間する方向に広がり（図２の矢印Ｆ方向）、筆記先端部９ａが傾斜して突出することを抑制することができる。
【００２２】
また、筆記時には、スリット２ｂによって、前軸２自体に弾性力が付与されているため、前軸２が撓む感触が得られ、筆記感触も良好になる。また、スリット２ｂを前軸２の先端面から後軸３方向に深く、把持部２ｃまで設けることで、筆記時には、前軸２の把持部２ｃを把持すると、把持力により前軸２が内側に撓むため、把持感触も良好となる。また、把持力で前軸２を内側に撓ませることによって、前軸の先端開口部２ａでも内側へ撓むために、筆記時における過度な撓みを抑制でき、筆記による感触を受けやすい。
【００２３】
尚、本実施例では、便宜上、前軸２、後軸３、連結具４によって軸筒本体を構成し、前軸２の先端面からスリット２ｂを形成しているが、前軸と後軸を一体に形成してもよい。また、軸筒に用いる材質も特に限定されるものではないが、弾性変形しやすい材料、例えば、ポリプロピレン等を好適に用いることができる。
【００２４】
スリット２ｂの数は、軸筒の強度等を考慮して適宜選択することができるが、筆記体の撓みを抑制し、軸筒自体の弾力性による筆感向上を考慮すると、周方向に等間隔で、収容する筆記体の本数以上、形成することが好ましい。また、スリットの幅は、撓み性等の考慮して軸筒先端部では、０．１ｍｍ〜５．０ｍｍ程度が好ましく、０．５ｍｍ〜２．０ｍｍが最も好ましい。さらに、スリットの形成方法は、軸筒と一体に成形時に形成したり、軸筒を成形後に後工程にてスリット形成したり、特に限定されない。
【００２５】
スリット２ｂの形状は、軸筒の先端側の細幅部２ｂ（Ｓ）と、後端側の大幅部２ｂ（Ｔ）とを有することが好ましく、実施例１のように、幅差を有する段状に形成してもよいし、軸筒の先端面から徐々に太幅にしてもよい。
【００２６】
また、前軸の先端開口部２ａの内径は、前軸の先端開口部２ａより突出するチップ先端部８ａや筆記先端部９ａの外径と略同径することが好ましいが、前述の通り、前軸２の先端開口部２ａの内径を、前軸の先端開口部２ａより突出するチップ先端部８ａや筆記先端部９ａの外径よりも小さくすることで、筆記先端部の外壁と軸筒の内壁との間に隙間が発生しないので、筆記時に不快な衝突音や衝撃が発生することがなく好ましい。
【産業上の利用可能性】
【００２７】
本発明のスライド式の多芯筆記具は、筆記体の数、筆記体に収容するインキ色、インキの種類等に限定されるものでなく、ボールペン３本や４本など、スライド式の多芯筆記具として広く利用可能である。
【符号の説明】
【００２８】
１  スライド式の多芯筆記具
２  前軸
２ａ  先端開口部
２ｂ  スリット
２ｃ  把持部
３  後軸
３ａ  止め部
４  連結具
５、６  摺動体
６ａ  係止部
７  クリップ
８  ボールペン体
８ａ  チップ先端部
９  シャープペンシル体
９ａ  筆記先端部
１０  コイルスプリング
【図１】
2011104800.tif 000003
【図２】
2011104800.tif 000004
【図３】
2011104800.tif 000005
【図４】
2011104800.tif 000006